(57)【要約】      （修正有）【課題】マルチカメラで同時撮影した複数の動画ファイルの内容確認を簡便に行えるシステムを提供する。【解決手段】第１の記録媒体を有する第１のファイル再生装置と第２の記録媒体を有する第２のファイル再生装置は通信可能であり、前記第１のファイル再生装置は、前記第１の記録媒体に記録されている動画ファイルから再生する第１のファイルを選択するための第１のファイル選択手段と、前記第２のファイル再生装置に前記選択された第１のファイルに関する情報を送信するファイル情報送信手段を有し、前記第２のファイル再生装置は、前記第１のファイル再生装置から前記第１のファイルに関する情報を受信するファイル情報受信手段と、前記ファイル情報受信手段によって受信した第１のファイルに関する情報に対応する第２のファイルを再生対象ファイルとして前記第２の記録媒体から選択する第２のファイル選択手段を有することを特徴とする構成とした。【選択図】図１
2015029210.tif 000002
【特許請求の範囲】
【請求項１】
第１の記録媒体を有し、前記第１の記録媒体に記録されている動画ファイルを再生する第１のファイル再生装置と、第２の記録媒体を有し、前記第２の記録媒体に記録されている動画ファイルを再生する第２のファイル再生装置からなるファイル再生システムであって、
前記第１のファイル再生装置および前記第２のファイル再生装置は外部装置と通信を行うための通信手段を有し、
前記第１のファイル再生装置は、前記第１の記録媒体に記録されている動画ファイルから再生する第１のファイルを選択するための第１のファイル選択手段と、前記通信手段を介して前記第２のファイル再生装置に前記選択された第１のファイルに関する情報を送信するファイル情報送信手段を有し、
前記第２のファイル再生装置は、前記通信手段を介して前記第１のファイル再生装置から前記第１のファイルに関する情報を受信するファイル情報受信手段と、前記ファイル情報受信手段によって受信した第１のファイルに関する情報に対応する第２のファイルを再生対象ファイルとして前記第２の記録媒体から選択する第２のファイル選択手段を有することを特徴とするファイル再生システム。
【請求項２】
前記動画ファイルは、撮影タイミングを特定可能な情報を記録するフィールドを有し、前記第１のファイルに関する情報は、前記第１のファイルに記録されている前記撮影タイミングを特定可能な情報であることを特徴とする請求項１に記載のファイル再生システム。
【請求項３】
前記記録媒体上には、前記記録媒体に記録されている動画ファイルの撮影タイミングを特定可能な情報が前記動画ファイルとは異なる管理ファイルに記録されており、前記第１のファイルに関する情報は、前記管理ファイル内に記録されている前記第１のファイルの撮影タイミングを特定可能な情報であることを特徴とする請求項１に記載のファイル再生システム。
【請求項４】
前記第２のファイル選択手段は、前記第１のファイルの撮影タイミングを特定可能な情報と、前記第２の記録媒体に記録されているファイルの撮影タイミングを特定可能な情報を比較し、同一の撮影タイミングで撮影されているファイルを前記第２のファイルとして選択することを特徴とする請求項２又は請求項３に記載のファイル再生システム。
【請求項５】
前記撮影タイミングを特定可能な情報は、撮影日時であることを特徴とする請求項４に記載のファイル再生システム。
【請求項６】
前記撮影タイミングを特定可能な情報は、タイムコードであることを特徴とする請求項４に記載のファイル再生システム。
【請求項７】
前記撮影タイミングを特定可能な情報は、撮影シーンを識別可能なシーン識別データであることを特徴とする請求項４に記載のファイル再生システム。
【請求項８】
前記第２のファイル再生装置は、前記第１のファイルの先頭フレームに対応する前記第２のファイルのフレームを検出する対応フレーム検出手段を有し、前記検出された対応フレームを再生開始フレームとして設定することを特徴とする請求項５又は請求項６に記載のファイル再生システム。
【請求項９】
前記第２のファイル再生装置は、前記第２のファイルの選択終了後に再生を開始することを特徴とする請求項１乃至請求項８の何れか１項に記載のファイル再生システム。
【請求項１０】
前記第１の再生装置および第２の再生装置は動画ファイルを記録可能な撮像装置であることを特徴とする請求項１乃至請求項９の何れか１項に記載のファイル再生システム。
【請求項１１】
前記第１の撮像装置と前記第２の撮像装置はタイムコードの同期手段を有することを特徴とする請求項１０に記載のファイル再生システム。
【請求項１２】
前記第１の撮像装置と前記第２の撮像装置は撮影シーンを識別可能なシーン識別データを動画ファイル内に記録可能であることを特徴とする請求項１０に記載のファイル再生システム。
【請求項１３】
前記第１の撮像装置と前記第２の撮像装置は撮影シーンを識別可能なシーン識別データを動画ファイルの管理ファイル内に記録可能であることを特徴とする請求項１０に記載のファイル再生システム。
【発明の詳細な説明】
【技術分野】
【０００１】
本発明は、ファイル再生システムに関し、特に複数の装置で同時撮影された動画ファイルを再生する処理に関するものである。
【背景技術】
【０００２】
ドラマや映画などの撮影時に、複数のビデオカメラを使用したマルチカメラ撮影が行われている。同じシーンを複数のカメラで別アングルから撮影して、編集時には同時撮影された動画データを用いて、アングルを切り替えながら最終的なシーン動画を作成していく。同時に録画された動画を識別可能とするため、業務用ビデオカメラには撮影時に記録するタイムコードを複数のカメラで同期させる機能が備わっている。また、近年ビデオカメラの記録媒体が従来の磁気テープから、磁気ディスクやフラッシュメモリーを使用するファイルベースの記録媒体に変わってきており、ファイルベースのビデオカメラでは動画ファイルに撮影シーン番号、カット番号、テイク番号などをメタデータとして記録することが可能となっている。
【０００３】
特許文献１では、タイムコード入力端子を有し、外部の制御装置から入力されたタイムコードに同期した値を記録する技術が開示されている。また、特許文献２では、撮影したビデオ映像にシーン番号、カット番号、テイク番号のデータを関連付けて記録するための技術が開示されている。
【先行技術文献】
【特許文献】
【０００４】
【特許文献１】特開平０９−１８６９５９号公報
【特許文献２】特開２００６−０８１１９９号公報
【発明の概要】
【発明が解決しようとする課題】
【０００５】
撮影現場などで、あるビデオカメラで撮影された内容を確認しているときに、別アングルで同時撮影した内容を確認したい場合は、別アングルで撮影したビデオカメラで該当のファイルを探し出して再生する必要があり、特に記録メディア上に大量の動画ファイルがある場合に再生までの操作が煩雑になるという問題があった。
【課題を解決するための手段】
【０００６】
上記課題を解決するために、本発明は、第１の記録媒体を有し、前記第１の記録媒体に記録されている動画ファイルを再生する第１のファイル再生装置と、第２の記録媒体を有し、前記第２の記録媒体に記録されている動画ファイルを再生する第２のファイル再生装置からなるファイル再生システムであって、前記第１のファイル再生装置と前記第２のファイル再生装置は通信可能であり、前記第１のファイル再生装置は、前記第１の記録媒体に記録されている動画ファイルから再生する第１のファイルを選択するための第１のファイル選択手段と、前記第２のファイル再生装置に前記選択された第１のファイルに関する情報を送信するファイル情報送信手段を有し、前記第２のファイル再生装置は、前記第１のファイル再生装置から前記第１のファイルに関する情報を受信するファイル情報受信手段と、前記ファイル情報受信手段によって受信した第１のファイルに関する情報に対応する第２のファイルを再生対象ファイルとして前記第２の記録媒体から選択する第２のファイル選択手段を有することを特徴とする。
【発明の効果】
【０００７】
本発明によれば、再生した動画ファイルと同時撮影された動画ファイルが自動的に選択され、マルチカメラで同時撮影した複数の動画ファイルの内容確認を簡便に行えるシステムを提供することができる。
【図面の簡単な説明】
【０００８】
【図１】記録再生装置のブロック図である。
【図２】実施例１における記録再生装置の動作フローチャートである。
【図３】記録再生装置の接続図である。
【図４】実施例１におけるメタデータ検索処理の動作フローチャートである。
【図５】実施例２における記録再生装置の動作フローチャートである。
【図６】実施例２におけるメタデータ検索処理の動作フローチャートである。
【発明を実施するための形態】
【０００９】
以下、添付図面に従って本発明にかかる実施形態を詳細に説明する。
【実施例１】
【００１０】
図１は本実施例１による再生装置のブロック図である。前記再生装置はカメラ部を含み、前記カメラ部から入力される映像を記録可能な記録再生装置を構成する。１０１は記録再生装置を制御するための制御部である。１０２はユーザーが記録再生装置を操作するための操作部である。１０３はレンズ、ＣＭＯＳイメージセンサーなどから構成される映像を入力するためのカメラ部である。１０４は前記カメラ部より入力された映像、後述する記録媒体から再生した映像、ユーザー操作用のメニュー、各種情報等を表示するための表示部である。１０５は前記カメラ部１０３から入力された映像信号を処理して記録媒体に記録するデータに符号化する符号化部である。１０６は外部機器からタイムコード信号を入力するためのタイムコード入力端子、１０７は外部機器にタイムコード信号を出力するためのタイムコード出力端子、１０８はタイムコードを生成するタイムコード生成部である。１０９は映像の付加情報として記録するメタデータを生成するためのメタデータ生成部である。１１０は前記符号化部１０５で符号化したデータと、前記メタデータ生成部１０９で生成したメタデータを多重化するデータ多重化部である。１１１はファイルを記録するための記録媒体である。１１２は前記記録媒体１１１より読み出したファイルから映像データとメタデータを分離するデータ逆多重化部である。１１３は前記データ逆多重化部１１２で分離した映像データの復号及び復号したデータに各種処理を行って映像信号を生成する復号画像処理部である。１１４は前記データ逆多重化部１１２で分離したメタデータを解析するメタデータ解析部である。１１５は外部機器と通信を行うための通信部であり、１１６は外部機器と接続するための外部機器接続端子である。
【００１１】
まず本実施例における記録再生装置における記録動作について説明する。本実施例では複数の記録再生装置によるマルチカメラ撮影を行っているものとする。
【００１２】
前記記録再生装置は映像をファイルとして記録媒体に記録するための撮影モードと、前記記録媒体に記録されたファイルを再生するための再生モードを有する。ユーザーが操作部１０２で前記撮影モードを選択すると、カメラ部１０３はレンズから入力された映像を光電変換してデジタル映像信号として出力する。表示部１０４は前記デジタル映像信号をモニター映像として表示する。記録再生装置が撮影モードに設定されている場合、制御部１０１はタイムコード生成部１０８を制御して、タイムコードのデータを生成する。前記タイムコード生成部１０８は、タイムコード入力端子１０６の状態を判別し、外部機器からタイムコードデータが入力されている場合は、前記入力されているタイムコードデータに同期したタイムコード値を生成し、入力されていない場合は内部のタイムコードジェネレーターによってタイムコード値を生成する。また、タイムコード出力端子１０７からは前記生成したタイムコード値を出力する。前記タイムコード入力端子１０６およびタイムコード出力端子１０７によって、マルチカメラ撮影におけるタイムコードの同期をとることができる。
【００１３】
メタデータ生成部１０９は撮影する映像のシーン番号、カット番号、テイク番号を保持するメモリーを有し、ユーザーは操作部１０２を操作して、前記シーン番号、カット番号、テイク番号を設定することができるように構成されている。
【００１４】
ユーザーが前記操作部１０２を操作して記録開始を指示した場合の動作について、図２（ａ）のフローチャートを用いて説明する。ステップＳ３０１で制御部１０１は記録媒体１１１上に動画ファイルを新規作成する。制御部１０１は内部にカレンダーおよび時計を有し、ステップＳ３０２で動画ファイルに記録する先頭フレームのタイムコードおよび、前記ファイルを作成した日時を取得する。次にステップＳ３０３で、制御部１０１は前記メタデータ生成部１０９からシーン番号、カット番号、テイク番号のデータを取得してヘッダーデータ内に記録する。また前記ステップＳ３０２で取得したタイムコードをスタートタイムコードとして、日時データを撮影開始日時データとしてヘッダーデータ内に記録する。
【００１５】
ヘッダーデータの記録後、カメラ部１０３から入力される映像信号をフレーム単位で処理してファイルに記録する。前記カメラ部１０３から出力されたデジタル映像信号は符号化部１０５に入力され、ＭＰＥＧ２、Ｈ．２６４等の所定のフォーマットのデータに符号化されてデータ多重化部１１０に入力される。制御部１０１はステップＳ３０４で、前記データ多重化部１１０に入力された映像に対するタイムコードを前記タイムコード生成部１０８から、現在の日時データを内部の時計から取得する。ステップＳ３０５では前記取得したタイムコードおよび日時データをデータ多重化部１１０に入力することで、前記符号化部１０５から入力されたデータ、前記制御部１０１から入力されたタイムコードデータ、日時データはフレーム単位で多重化される。ステップＳ３０６では前記多重化されたフレームデータを前記作成したファイルに記録する。ステップＳ３０７ではユーザーが前記操作部１０２を操作して記録停止を指示したか否かを判定し、記録停止の指示が行われていない場合はステップＳ３０４に戻って、次のフレームに対する処理を行う。記録停止の指示が行われている場合は、ステップＳ３０８で制御部１０１は前記作成した動画ファイルに記録された動画の長さ等のメタデータを記録した後に前記ファイルをクローズし、ステップＳ３０９で前記記録媒体上の動画ファイルを管理するための管理ファイルを更新して記録処理を終了する。
【００１６】
次に複数の記録再生装置がネットワークで接続された状態での再生動作について説明する。図３は、２台の記録再生装置がネットワークに接続された状態を表した図である。２０はイーサネット（登録商標）のネットワーク、２１および２２は図１のブロック図で示す記録再生装置であり、それぞれ外部機器接続端子１１６を介してネットワーク２０に接続されている。本実施例では、記録再生装置２１を操作して再生を行う例について、図２（ｂ）のフローチャートを用いて説明する。図２（ｂ）のフローチャートは前記記録再生装置２１および２２に共通の再生モード時の動作を示したフローチャートである。
【００１７】
ユーザーが記録再生装置２１の操作部１０２で前記再生モードを選択すると、記録再生装置２１はまず再生ファイルをユーザーが選択するための、動画一覧画面を作成する。ステップＳ４０１で制御部１０１は前記管理ファイルを読み込み、ステップＳ４０２で再生対象ファイルを、ステップＳ４０３で動画一覧画面に表示する先頭ファイルを決定する。表１（ａ）は記録再生装置２１の記録媒体に記録されている動画ファイルの例を示す表である。
【００１８】
【表１（ａ）】
2015029210.tif 000003
【００１９】
表１（ａ）のＩＤ番号およびファイル名の情報は、記録再生装置２１が有する記録媒体１１１上の管理ファイルに記録されており、前記記録媒体１１１に記録された順番でＩＤ番号が割り当てられて管理されている。シーン番号、カット番号、テイク番号、撮影開始日時、スタートタイムコード、動画の長さの情報は、各動画ファイルのヘッダーデータ内に記録されているものとする。スタートタイムコードおよび動画の長さにおいて「：」で区切られた各フィールドは、先頭からそれぞれ「時」、「分」、「秒」、「フレーム」を意味する。本例では８個の動画ファイルが記録されており、動画一覧画面には６個のファイルを表示するものとする。ステップＳ４０２では記録されている動画ファイルから、６番目に新しいファイルＡＡＡＡ０００３を再生対象ファイルとして決定し、ステップＳ４０３では前記ＡＡＡＡ０００３を動画一覧の先頭ファイルとして決定する。ステップＳ４０４では前記ステップＳ４０３で選択した動画一覧の先頭ファイルであるＡＡＡＡ０００３を読み込み、データ逆多重化部１１２で画像データを分離し、前記分離した画像データを復号画像処理部１１３で復号および縮小処理を行って、表示部１０４にサムネイル画像として表示する。ＡＡＡＡ０００３の処理後、順次ＡＡＡＡ０００４、ＡＡＡＡ０００５、ＡＡＡＡ０００６、ＡＡＡＡ０００７、ＡＡＡＡ０００８の処理を行い、６個のファイルのサムネイルを動画一覧画面に表示する。前記表示終了後、ステップＳ４０５ではステップＳ４０２で決定したＡＡＡＡ０００３を再生対象ファイルとして前記動画一覧画面上で選択する。
【００２０】
ステップＳ４０６ではユーザーが前記ステップＳ４０５で選択された動画ファイルの再生を指示したか否かを判定する。再生指示が行われていない場合、ステップＳ４０７ではユーザーが再生対象ファイルの選択を変更したか否かを判定する。選択が変更されている場合、ステップＳ４０８では選択される再生対象ファイルが前記ステップＳ４０４で作成した動画一覧画面内に含まれるか否かを判定する。動画一覧画面内に含まれる場合、ステップＳ４０５で、新たに選択されたファイルを前記動画一覧画面で選択する。動画一覧画面内に含まれない場合、例えばＡＡＡＡ０００３が選択されている状態で、ユーザーが一つ前の動画ファイルであるＡＡＡＡ０００２の選択を指示する操作を行った場合、ステップＳ４０３では動画一覧画面に表示されている先頭ファイルであるＡＡＡＡ０００３よりも６番目に古いファイルを動画一覧画面の先頭ファイルとして決定する。本実施例の表１（ａ）の場合、ＡＡＡＡ０００３よりも古い動画ファイルは２個しかないため、最も古いファイルであるＡＡＡＡ０００１を先頭ファイルとして決定し、ステップＳ４０４では前述のようにＡＡＡＡ０００１から順次６個のファイルのサムネイルを動画一覧画面に表示する。ステップＳ４０５では前記選択されたＡＡＡＡ０００２を前記動画一覧画面で選択する。
【００２１】
ステップＳ４０６で、ユーザーが再生を指示した場合、前記記録再生装置２１は選択されている動画ファイルの再生を開始する。ステップＳ４１２で、制御部１０１は記録媒体１１１から前記動画ファイルをオープンし、ステップＳ４１３でヘッダーデータを読み込む。前記ヘッダーデータをメタデータ解析部１１４に入力し、前記動画ファイルに設定されているシーン番号、カット番号、テイク番号、撮影開始日時、スタートタイムコード、動画の長さを検出する。ステップＳ４１４では、制御部１０１は前記検出したシーン番号、カット番号、テイク番号、撮影開始日時、スタートタイムコード、動画の長さをパケット化して、通信部１１５に入力する。通信部１１５は前記入力されたパケットを、外部機器接続端子１１６を介して、図３中のネットワーク２０にブロードキャスト送信する。
【００２２】
ヘッダーデータの処理後、ステップＳ４１５で制御部１０１は前記動画ファイルからフレーム単位でデータを読み込み、ステップＳ４１６で前記読み込んだデータをデータ逆多重化部１１２に入力して、画像データとタイムコード、日時データを分離する。前記分離した画像データはステップＳ４１７で復号画像処理部１１３に入力して復号処理を行い、ステップＳ４１８で前記復号された画像データを表示部１０４に表示する。また前記Ｓ１４１６で分離されたタイムコード、日時データを前記画像データに重畳して表示する。ステップＳ４１９では前記動画ファイルの最終フレームの処理が終了する、またはユーザーが記録再生装置２１の操作部１０２で再生停止を指示することによって再生が終了したか否かを判定し、再生が終了していない場合はステップＳ４１５〜Ｓ４１８の処理をフレーム周期で繰り返す。再生が終了した場合は、ステップＳ４２０で前記動画ファイルをクローズし、ステップＳ４０４に戻って動画一覧画面を再度表示する。
【００２３】
次に、ユーザーが前記記録再生装置２１の動画ファイルを再生した場合の記録再生装置２２の動作について説明する。ユーザーが記録再生装置２２の操作部１０２で前記再生モードを選択すると、前記記録再生装置２１の再生動作で説明した処理と同様、ステップＳ４０１〜ステップＳ４０５までの処理を行って、動画一覧画面を表示する。表１（ｂ）は記録再生装置２２の記録媒体に記録されている動画ファイルの例を示す表である。本例では８個の動画ファイル記録されている。
【００２４】
【表１（ｂ）】
2015029210.tif 000004
【００２５】
本実施例では記録再生装置２２の動画一覧画面に６個のファイルを表示するものとし、前記処理によってＢＢＢＢ０００３、ＢＢＢＢ０００４、ＢＢＢＢ０００５、ＢＢＢＢ０００６、ＢＢＢＢ０００７、ＢＢＢＢ０００８の６個のファイルが表示され、ＢＢＢＢ０００３が選択される。
【００２６】
ステップＳ４０６ではユーザーが前記ステップＳ４０５で選択された動画ファイルの再生を指示したか否かを判定し、再生指示が行われていない場合、ステップＳ４０７ではユーザーが再生対象ファイルの選択を変更したか否かを判定する。選択が変更されていない場合、ステップＳ４０９では外部機器接続端子１１６を介して、図３中のネットワーク２０に接続されている外部機器からメタデータを受信したか否かを判定する。メタデータを受信していない場合は、ステップＳ４０６に戻って処理を繰り返す。前記記録再生装置２１の動画再生動作の説明中で、動画ファイルを再生した場合にステップＳ４１４においてメタデータがネットワーク２０にブロードキャスト送信されており、前記ステップＳ４０９において記録再生装置２２が前記ブロードキャスト送信されたメタデータを受信している場合は、ステップＳ４１０で前記受信したメタデータに対応する動画ファイルを検索する。
【００２７】
図４は、図２（ｂ）のステップＳ４１０の動作を示すフローチャートである。図２（ｂ）中のステップＳ４０９でメタデータを受信している場合に図４のフローチャートに従った処理が行われる。本実施例では、ユーザーが前記記録再生装置２１で表１（ｂ）のＡＡＡＡ０００６を選択して再生した場合について説明する。この場合、前記ステップＳ４０９では前記ＡＡＡＡ０００６のメタデータとして、シーン番号「２」、カット番号「２」、テイク番号「１」、撮影開始日時「２００９年１０月１１日  １０時３３分１０秒」、スタートタイムコード「００：１８：１０：１０」、動画の長さ「００：００：１５：１０」を受信する。
【００２８】
ステップＳ５０１では記録媒体１１１上の管理ファイルをオープンし、ステップＳ５０２で内部変数Ｎを１に初期化する。次にステップＳ５０３では、管理ファイルに記録されている全ての動画ファイルの検索が終了したか否かを判定する。内部変数Ｎの値が管理ファイルに記録されている最大のＩＤ番号よりも大きい場合は、全ての動画ファイルの検索が終了しているため、ステップＳ５１２に進む。未検索のファイルがある場合はステップＳ５０４でＩＤ番号がＮである動画ファイルをオープンして、ステップＳ５０５で前記動画ファイルのメタデータを読み込んだ後、ステップＳ５０６で前記動画ファイルをクローズする。
【００２９】
ステップＳ５０７では前記受信したメタデータおよび前記ステップＳ５０５で読み込んだメタデータのシーン番号、カット番号、テイク番号が一致するか否かを判定する。Ｎ＝１の場合、ステップＳ５０４でオープンしたファイルは表１（ｂ）中のＢＢＢＢ０００１であり、表１（ａ）中のＡＡＡＡ０００６のシーン番号、カット番号、テイク番号と一致しないため、ステップＳ５０８に進む。
【００３０】
ステップＳ５０８では前記受信したメタデータおよび前記ステップＳ５０５で読み込んだメタデータの撮影開始日時および動画の長さから、撮影していた日時に重複する部分があるか否かを判定する。ステップＳ４０９で受信した動画ファイルＡＡＡＡ０００６の撮影開始日時は「２００９年１０月１１日  １０時３３分１０秒」、動画の長さは「００：００：１５：１０」である。すなわち、ＡＡＡＡ０００６は「２００９年１０月１１日  １０時３３分１０秒」から「２００９年１０月１１日  １０時３３分２６秒」の間に撮影されている。Ｎ＝１の場合、ステップＳ５０４でオープンした表１（ｂ）中のＢＢＢＢ０００１の撮影開始日時は「２００９年１０月１１日  １０時１５分１１秒」、動画の長さは「００：００：３７：１５」である。すなわち、ＢＢＢＢ０００１は「２００９年１０月１１日  １０時１５分１１秒」から「２００９年１０月１１日  １０時１５分４９秒」の間に撮影されている。前記ＡＡＡＡ０００６とＢＢＢＢ０００１の撮影日時には重複期間がないため、ステップＳ５０９に進む。
【００３１】
ステップＳ５０９では前記受信したメタデータおよび前記ステップＳ５０５で読み込んだメタデータのスタートタイムコードおよび動画の長さから、動画ファイルのタイムコードに重複する部分があるか否かを判定する。ステップＳ４０９で受信した動画ファイルＡＡＡＡ０００６のスタートタイムコードは「００：１８：１０：１０」、動画の長さは「００：００：１５：１０」である。すなわち、ＡＡＡＡ０００６に記録されているタイムコードは「００：１８：１０：１０」から「００：１８：２５：１９」である。Ｎ＝１の場合、ステップＳ５０４でオープンした表１（ｂ）中のＢＢＢＢ０００１のスタートタイムコードは「００：００：１１：１５」、動画の長さは「００：００：３７：１５」である。すなわち、ＢＢＢＢ０００１に記録されているタイムコードは「００：００：１１：１５」から「００：００：４８：２９」である。前記ＡＡＡＡ０００６とＢＢＢＢ０００１のタイムコードには重複期間がないため、ステップＳ５１１に進む。
【００３２】
ステップＳ５１１ではＩＤ番号がＮの動画ファイルが受信したメタデータに対応するファイルではないため、Ｎに１を加えてステップＳ５０３に戻って次の動画ファイルの処理を行う。本例では、Ｎ＝５までは受信したメタデータに対応するファイルではないため、前記の処理を繰り返し、Ｎ＝６のＢＢＢＢ０００６の処理時にステップＳ５０７においてシーン番号、カット番号、テイク番号が一致するためステップＳ５１０に進む。ステップＳ５１０では再生対象ファイルとして、前記ＢＢＢＢ０００６が設定され、ステップＳ５１２で管理ファイルをクローズしてメタデータ検索処理を終了する。前記メタデータ検索処理において、該当する動画ファイルが検出されなかった場合は、ステップＳ５０３からステップＳ５１２に進むため、再生対象ファイルはメタデータ検索処理開始前と同一のファイルのまま変更されない。
【００３３】
前記説明では、シーン番号、カット番号、テイク番号が記録再生装置２１および２２で記録した動画ファイルに記録されている場合について説明したが、前記メタデータが記録されていない場合でもステップＳ５０８およびステップＳ５０９において撮影日時の重複、タイムコードの重複の検出することで同様にＢＢＢＢ０００６を検出することができる。このため、本例で説明したシステムでは、記録再生装置２１と２２で前記番号のメタデータを記録する、内部の時計のずれを小さくする、撮影前にタイムコード同期をとる、のいずれかを実施することで、目的のファイルを検出することが可能である。
【００３４】
図２（ｂ）中のステップＳ４１１では前記ステップＳ４１０で前記メタデータに基づくファイル検索を行った結果、対応するファイルが検出されたか否かを判別する。対応するファイルが検出されなかった場合はステップＳ４０６に戻って処理を繰り返す。対応するファイルが検出された場合、本例では前記検出されたＢＢＢＢ０００６が再生対象ファイルとして設定されており、ステップＳ４０８以降の処理を行って動画一覧画面を作成し、前記検出した再生対象ファイルを選択状態で表示する。
【００３５】
本例では、シーン番号、カット番号、テイク番号、撮影開始日時、スタートタイムコード、動画の長さの情報は、各動画ファイルのヘッダーデータ内に記録されているものとして説明したが、前記メタデータを管理ファイルに記録し、前記管理ファイルから読み出す構成とすることも可能である。
【００３６】
以上、説明したように、記録再生装置２１で動画ファイルの再生を開始すると、前記再生した動画ファイルと同時に撮影された動画ファイルが記録再生装置２２で自動的に選択される。よって、前記記録再生装置２１で再生した動画ファイルの別アングルで撮影した動画ファイルの再生を簡単に行えるシステムを提供することができる。
【実施例２】
【００３７】
図５は本実施例２における前記記録再生装置２１および２２に共通の再生モード時の動作を示したフローチャートである。図５中、図２（ｂ）と同一の符号を有するステップは前記実施例１で説明した動作と同一であるため、説明を省略する。実施例１と同様、前記記録再生装置２１を操作して再生を行った場合の記録再生装置２２の動作について説明する。ステップＳ４０９で前記記録再生装置２１が再生した動画ファイルのメタデータを受信した場合、ステップＳ６０１で前記受信したメタデータに対応する動画ファイルを検索する。
【００３８】
図６は図５中のステップＳ６０１の動作を示すフローチャートである。図６中、図４と同一の符号を有するステップは前記実施例１で説明した動作と同一であるため、説明を省略する。
【００３９】
ステップＳ５０７でシーン番号、カット番号、テイク番号が一致するファイルを検出した場合、ステップＳ７０１では前記検出した動画ファイルの再生開始フレームとして、前記動画ファイルの先頭フレームを設定してステップＳ５１０に進む。
【００４０】
ステップＳ５０８で撮影日時が重複するファイルを検出した場合、ステップＳ７０２では前記検出した動画ファイルの再生開始フレームとして、前記検出した動画ファイルの撮影日時が重複する部分の先頭フレームを設定してステップＳ５１０に進む。
【００４１】
ステップＳ５０９でタイムコードが重複するファイルを検出した場合、ステップＳ７０３では前記検出した動画ファイルの再生開始フレームとして、前記検出した動画ファイルのタイムコードが重複する部分の先頭フレームを設定してステップＳ５１０に進む。
【００４２】
前記再生開始フレームの設定を行った後、実施例１と同様、ステップＳ５１０で再生対象ファイルの設定を行い、ステップＳ５１２で管理ファイルをクローズしてメタデータ検索処理を終了する。
【００４３】
図５中のステップＳ４１１では前記ステップＳ６０１で前記メタデータに基づくファイル検索を行った結果、対応するファイルが検出されたか否かを判別する。対応するファイルが検出されなかった場合はステップＳ４０６に戻って処理を繰り返す。対応するファイルが検出された場合、ステップＳ６０２では前記ステップＳ６０１で設定された再生対象ファイルをオープンし、ステップＳ６０３では前記ステップＳ６０１で設定された再生開始フレームのシーク（頭だし）を行う。その後、ステップＳ４１５以降の処理をフレーム単位で行い、前記再生対象ファイルの再生を行う。
【００４４】
以上、説明したように、記録再生装置２１で動画ファイルの再生を開始すると、前記再生した動画ファイルと同時に撮影された動画ファイルが記録再生装置２２で自動的に再生される。また再生開始フレームの設定により、同時撮影に該当する箇所から再生されるため、別アングルで撮影した動画ファイルの比較等が簡単に行えるシステムを提供できる。
【符号の説明】
【００４５】
１０１・・・制御部
１０２・・・操作部
１０４・・・表示部
１１１・・・記録媒体
１１２・・・データ逆多重化部
１１３・・・復号部
１１４・・・メタデータ解析部
１１５・・・通信部
１１６・・・外部機器接続端子
【図１】
2015029210.tif 000005
【図２】
2015029210.tif 000006
【図３】
2015029210.tif 000007
【図４】
2015029210.tif 000008
【図５】
2015029210.tif 000009
【図６】
2015029210.tif 000010